(57)【特許請求の範囲】
【請求項１】
橋桁その他の上部構造物１と橋脚その他の下部構造物２との間に配され、上部構造物１に固定される上部支持部材３の下部に、前記上部支持部材３の相対的な横移動をスライド可能に支承するように配設される支圧部材４と、この支圧部材４を支承する下部支持部材５とを備えた支承装置において、前記支圧部材４の下面を下に凸又は下に凹の球面状をなす湾曲面６とすると共に、下部支持部材５の上面を上に凹又は上に凸の球面状をなす湾曲面７とし、前記両湾曲面相互の嵌合部を外側から被覆するように支圧部材４の外周面８と下部支持部材５の外周面９とに渡って、弾性材料製の防塵用筒状体１０を配置し、前記防塵用筒状体１０の上部が支圧部材４に固定され、前記防塵用筒状体１０の下部が下部支持部材５に固定されていることを特徴とする防塵用筒状体を備えた支承装置。
【請求項２】
前記弾性材料製の防塵用筒状体１０が支圧部材４及び下部支持部材５に対し、焼き付けまたは前記防塵用筒状体１０を成形固化させる工程で同時に固着させるようにしたことを特徴とする請求項１記載の防塵用筒状体を備えた支承装置。
【請求項３】
前記防塵用筒状体１０の内周面の一部または全面が、支圧部材４と下部支持部材５とに密着されて固定されていることを特徴とする請求項１又は２記載の防塵用筒状体を備えた支承装置。
【発明の詳細な説明】
【０００１】
【発明の属する技術分野】
本発明は橋梁、高架道その他各種の構造物において用いられる防塵用筒状体を備えた支承装置に関する。更に具体的には、橋桁その他の上部構造物と橋脚その他の下部構造物との間に配置される防塵用筒状体を備えた支承装置に関する。
【０００２】
【従来の技術】
この種の従来の支承装置としては、例えば図５に示すような橋梁用支承装置が知られている。このような支承装置では、上沓（上部支持部材）３と下沓（下部支持部材）５との間に、上面が平面で下面がほぼ半球面状の湾曲面６とされた鋼製またはゴム状弾性体等から成る支圧部材４が装着され、橋桁等の上部構造物１が撓み等により支圧部材４の中心軸線に関し傾動（回動）した時、その傾動は主として支圧部材４の湾曲面６とそれに当接する下沓（下部支持部材）５の湾曲面８との間の摺動（回転摺動）により支承するようにしてある。
【０００３】
そして、前記のような従来の支承装置においては、摺動可能にした双方の湾曲面間に砂等のごみ類が侵入し、両湾曲面を損傷して摺動作用に支障を来たすようなことも生じる。そこで、前記湾曲面間にごみ類の侵入を防ぐための筒状のゴム製の防塵用ゴムリング１１を上部支持部材３の下面に設けているが、前記上部支持部材３はそのスライド面１２が支圧部材４とのすべり面１３に対して、スライドできるように構成されているので、上部支持部材３が比較的大きく水平方向に変位すると、防塵用ゴムリング１１がスライド面１２に巻き込まれ、防塵用ゴムリング６が防塵作用を発揮せず、ごみ類が湾曲面間に侵入するという問題がある。
【０００４】
【発明が解決しようとする課題】
本発明の支承装置は、上部及び下部支持部材間に装着される支圧部材と前記下部支持部材の湾曲面（半球状受け面）部分にごみ類の侵入をなくし、上部構造物の撓みによる傾動（回動または回転）に追従しながら支承する作用を長期に亘り安定した状態で呈することができるようにすることを目的として提案されたものである。
【０００５】
【課題を解決するための手段】
上記の目的を達成するため、本発明に係る請求項１の防塵用筒状体を備えた支承装置は、橋桁その他の上部構造物１と橋脚その他の下部構造物２との間に配され、上部構造物１に固定される上部支持部材３の下部に、前記上部支持部材３の相対的な横移動をスライド可能に支承するように配設される支圧部材４と、この支圧部材４を支承する下部支持部材５とを備えた支承装置において、前記支圧部材４の下面を下に凸又は下に凹の球面状をなす湾曲面６とすると共に、下部支持部材５の上面を上に凹又は上に凸の球面状をなす湾曲面７とし、前記両湾曲面相互の嵌合部を外側から被覆するように支圧部材４の外周面８と下部支持部材５の外周面９とに渡って、弾性材料製の防塵用筒状体１０を配置し、前記防塵用筒状体１０の上部が支圧部材４に固定され、前記防塵用筒状体１０の下部が下部支持部材５に固定されていることを特徴とする。
また、請求項２の発明は、請求項１の支承装置において、前記弾性材料製の防塵用筒状体１０が支圧部材４及び下部支持部材５に対し、焼き付けまたは弾性材料製の防塵用筒状体１０を成形固化させる工程で同時に固着させるようにしたことを特徴とする。
更に、請求項３の発明は、請求項１又は２の支承装置において、前記防塵用筒状体１０の内周面の一部または全面が、支圧部材４と下部支持部材５とに密着されて固定されていることを特徴とする。
【０００６】
【発明の実施の形態】
以下、図面に示す実施形態に基づいて本発明について説明する。
図１〜図３は本発明の一実施形態を示したものであって、同図で符号１は橋桁その他の上部構造物、２は橋脚その他の下部構造物、３０は上部構造物１と下部構造物２との間に配され、下部構造物２の上面部に対しアンカーボルト等のボルト４０及びナットで後記の下部支持部材５の取付用フランジ部２２を介して固定した支承装置をそれぞれ表わしている。支承装置３０は１個所に所要間隔を隔てて複数個設置するのが普通であるが、図１ではその１つを表わしている。
【０００７】
前記の上部構造物１に直接又は間接的に固定される上部支持部材３は、図１及び図２に明示するように、例えば矩形または円盤形に形成され、その下面を橋軸方向または橋軸直角方向にスライド可能な平坦なすべり面とされ、その上部支持部材３の下面には、平坦なすべり支承用上面を備えた鋼製支圧部材４が配置され、前記支圧部材４の下面は、下に凸の球面状をなす湾曲面６とするか、下に凹の球面状をなす湾曲面６（図４の第２実施形態参照）とする。前記上部支持部材３は鋼製材料で製作するを可とするが、強靱にして硬質の材料であれば他の材料で製作してもよい。また前記支圧部材４は鋼製材料で製作してもよく、弾性材料であってもよい。
【０００８】
また、前記下部構造物２上に、直接または間接的に配設される下部支持部材５は、例えば円盤体の下方部分に一体に又は別体として設けられた平面が矩形をなす取付用フランジ部２２を備えた形状に形成され、前記下部支持部材５の上面を支圧部材４の下に凸の湾曲面６に対応させて上に凹の球面状をなす湾曲面７とするか、前記下部支持部材５の上面を上部支持部材３の下に凹の湾曲面６に対応させて上に凸の球面状をなす湾曲面７（図４の第２実施形態参照）とする。符号２３はフランジ部２２に設けたボルト挿通孔である。この下部支持部材５も、上部支持部材３と同様に鋼製材料で製作することを可とするが、強靱にして硬質の材料であれば他の材料で製作してもよい。
【０００９】
そして、支圧部材４の円筒状の外周面８と下部支持部材５の円筒状の外周面９とは、ほぼ同一円形外面形状であるのが望ましい。前記支圧部材４の円筒状の外周面８と前記下部支持部材５の円筒状の外周面９とに渡って、これら間の荷重伝達面および回転支承面となる湾曲面６，７を外側から覆うように、ゴム製等の弾性材料製防塵用筒状体１０が前記各外周面８，９に密着するように配置され、その防塵用筒状体１０の内周面の上部全面または上端部内周面が前記支圧部材４の外周面に焼き付けまたは一体成型により固着され、また前記防塵用筒状体１０の内周面の下部全面または下端部内周面が前記下部支持部材５の円筒状の外周面９に焼き付けまたは一体成型により固着されている。
【００１０】
前記弾性材料製の防塵用筒状体１０は、全体がほぼ同一の厚さとなるようにするのが好ましいが、その上下方向の全長が一様な厚さでなくてもよい。
【００１１】
前記弾性材料製の防塵用筒状体１０は、支圧部材４及び下部支持部材５に対しゴム状弾性材料を成形固化させる工程で同時に一体成形により固着させるようにするとよい。例えば、防塵用筒状体１０の材料がゴム材料である場合は、鋼製の支圧部材４及び下部支持部材５に対しゴム材料を加硫接着させることができる。このような手法で固着された防塵用筒状体１０は、上部構造物１の撓み（支承装置側の支点からみると回転）に伴う支圧部材４の回動（回転）により、弾性材料製の防塵用筒状体１０の剪断変形または弾性変形作用を繰り返し受ける場合でも容易に剥離することがなく、固着性（接着性）が優れている。
弾性材料製の防塵用筒状体１０の固着性を更に高めるために、支圧部材４及び下部支持部材５の外周面８，９を事前にローレット加工等により粗面に形成しておくこともできる。
【００１２】
但し、弾性材料製の防塵用筒状体１０は、ゴム状弾性材料で予め帯状板として、前記各外周面８，９に沿うように筒状に巻きつけ、かつ前記帯状板の両端部の縦面相互を接着剤を用いて接着すると共に、前記帯状板の内周面全面または少なくとも上下端部を、前記各外周面８，９に接着剤を用いて接着させることによっても形成することができる。
【００１３】
また、上記の上部構造物１に固定される上部支持部材３と支圧部材４との間には、図１に示すように、上部構造物１の水平方向の伸縮に対応させるために水平方向滑り手段４３を設けることもできる。水平方向滑り手段４３は、上部構造物１に固定される上部支持部材３の下面に固定されたステンレススチール等で作られたスライディングプレート４１と支圧部材４の上面に固定した四フッ化エチレンからなる滑り面４２又は板で構成されており、滑動自在の当接させたスライディングプレート４１と滑り面４２との間で上部構造物１の橋軸方向または橋軸直角方向等における水平方向の伸縮を逃がすようにしてある。
【００１４】
図４に示す第２実施形態の支承装置は、支圧部材４の下面を下に凹の球面状をなす湾曲面６とすると共に、下部支持部材５の上面を上に凸の球面状をなす湾曲面７としている点において、図３に明示する第１実施形態のものと異なっているが、他の構成は同等であり、同様な作用効果であるので、同一要素については、同一の符号を付して説明を省略する。
【００１５】
なお、本発明を実施する場合、弾性支承装置を上下反転配置して、下部構造物２側にスライド面を位置するようにしてもよい。
【００１６】
本発明の支承装置では、橋桁等の上部構造物１が撓みおよび伸縮等により例えば図１の矢印Ｐの方向にこの装置の中心軸線ａに対し傾動（回転）およびスライド移動した場合に対応することを主眼としており、上部構造物１の傾動に際しては、その傾動に伴って変位する上部支持部材３は下部支持部材５に対しずれを生じるが、そのずれは湾曲面６，７間の回転とスライド支承面１２により逃がすことができ、ひいては上部構造物１の傾動を逃がすことになく、しかも前記湾曲面６，７間に塵埃などのごみが侵入することがないので、る。
【００１７】
なお、本発明を実施する場合、図１および図４に示す装置に、下部構造物２に対し上部構造物１を水平方向における橋軸方向または橋軸直角方向の一方または両方の相対的な移動を拘束するために、下部構造物２または上部構造物１の一方に保持部材を、他方にこれに係合する鋼板等の公知の装置を組み込むか、独立して別個に設けるようにしてもよい。このようにすると、本発明の支承装置を固定支承またはスライド式可動支承とすることができる。
【００１８】
なお、本発明を実施する場合、弾性材料製の防塵用筒状体１０としては、弾性材料製の合成樹脂でもよく、また図４に示すように、中間部内周面に環状空間部４４を形成するようにして、中間部の弾性変形により対応するようにしてもよい。
【００１９】
【発明の効果】
以上に説明したように、本発明の支承装置によれば、単に弾性材料製の防塵用筒状体を支圧部材と下部支持部材（反転配置した場合は上部支持部材）の外周面に固定するだけで、支圧部材と下部支持部材との湾曲面部分への砂等のごみ類の侵入が阻止され、両湾曲面を摩耗により痛めることがなく、単に防塵用筒状体の剪断変形または弾性変形を利した、上部構造物の傾動に順応しながら支承する作用を長期に亘り安定した状態で呈することができる。
【００２０】
また、弾性材料製の防塵用筒状体が従来のように、スライドする部分に設けられていないので、防塵用筒状体が従来のように、スライド面に巻き込まれることがない。また構造が簡単であり、製作費の削減が計れると共に、既存の支承装置にも適用することができる。
【００２１】
弾性材料製の防塵用筒状体により、湾曲面嵌合部、すなわちヒンヂ部が保護されているので、この部分の防錆効果を発揮することができる。
【図面の簡単な説明】
【図１】本発明に係る支承装置の第１実施形態の使用態様を示す一部縦断側面図である。
【図２】図１から取り外した支承装置を一部切り欠いて示す平面図である。
【図３】同じくその縦断側面図である。
【図４】本発明の第２実施形態を示す縦断側面図である。
【図５】従来の支承装置を示す縦断側面図である。
【符号の説明】
１  上部構造物
２  下部構造物
３  上部支持部材
４  支圧部材
５  下部支持部材
６  湾曲面
７  湾曲面
８  外周面（支圧部材側）
９  外周面（下部支持部材側）
１０  防塵用筒状体
１１  防塵用ゴムリング
１２  スライド面
１３  すべり面
１２  取付用フランジ部
１３  ボルト挿通孔
２２  取付用フランジ部
２３  ボルト挿通孔
３０  支承装置
４０  ボルト
４１  スライディングプレート
４２  滑り層（すべり面）
４３  水平方向滑り手段
４４  環状空間部
【図１】
0004377077.tif 000002
【図２】
0004377077.tif 000003
【図３】
0004377077.tif 000004
【図４】
0004377077.tif 000005
【図５】
0004377077.tif 000006